(57)【要約】【課題】ドアパネルの移動性能を損なうことなく、戸閉時おけるドアパネルの側部相互間の気密性を良好に保って遮音性および遮煙性を高めることができるエレベータの出入口ドア装置を提供する。【解決手段】複数枚のドアパネル１０ａ，１０ｂが互いに前後に位置をずらし、かつ左右方向に移動可能に支持され、戸閉時にはこれらドアパネル１０ａ，１０ｂが左右に段違い状に並んでエレベータの出入口２が閉塞され、戸開時にはドアパネル１０ａ，１０ｂが戸袋部８側に向う同一方向に異なる速度で移動して前記出入口２が開放される多段速式のエレベータの出入口ドア装置において、移動速度の速い一方のドアパネル１０ａの側部にシール材２４を有する塞ぎ部材２５を設け、戸閉時にのみ前記塞ぎ部材２５を他方のドアパネル１０ｂの側部に接触させてその側部間の隙間Ｓを塞ぐ。【選択図】    図１
2004182469.tif 000002
【特許請求の範囲】
【請求項１】
複数枚のドアパネルを備え、これらドアパネルが互いに前後に位置をずらし、かつ左右方向に移動可能に支持され、戸閉時にはこれらドアパネルが左右に段違い状に並んでエレベータの出入口が閉塞され、戸開時には前記ドアパネルが戸袋部側に向う同一方向に異なる速度で移動して前記出入口が開放される多段速式のエレベータの出入口ドア装置において、
互いに隣り合って前後に配置する一方のドアパネルの側部に塞ぎ部材を設け、この塞ぎ部材を戸閉時にのみ他方のドアパネルの側部に接触させてその側部間の隙間を塞ぐことを特徴とするエレベータの出入口ドア装置。
【請求項２】
複数枚のドアパネルを備え、これらドアパネルが互いに前後に位置をずらし、かつ左右方向に移動可能に支持され、戸閉時にはこれらドアパネルが左右に段違い状に並んでエレベータの出入口が閉塞され、戸開時には前記ドアパネルが同一方向に異なる速度で移動して前記出入口が開放される多段速式のエレベータの出入口ドア装置において、
互いに隣り合って前後に配置する一方のドアパネルの側部に塞ぎ部材を設け、この塞ぎ部材を戸閉時にのみ他方のドアパネルの側部に対向させてその側部間の隙間を塞ぐことを特徴とするエレベータの出入口ドア装置。
【請求項３】
前記塞ぎ部材は、前記一方のドアパネルの側部に取り付けられた塞ぎ板と、この塞ぎ板に取り付けられ、戸閉時に前記他方のドアパネルの側部に当接して密着するシール材とで構成されていることを特徴とする請求項１に記載のエレベータの出入口装置。
【請求項４】
前記塞ぎ部材のシール材が戸閉時に前記他方のドアパネルの側部に密着するように前記塞ぎ板の位置を調整することが可能な調整機構を備えることを特徴とする請求項３に記載のエレベータの出入口装置。
【請求項５】
前記塞ぎ部材が設けられた前記一方のドアパネルは戸開閉時の移動速度が速く、前記他方のドアパネルは戸開閉時の移動速度が前記一方のドアパネルより遅い関係にあり、その移動速度の遅い前記ドアパネルには、その移動速度の遅いドアパネルに対して移動速度の速いドアパネルが相対的に移動するときにおける前記塞ぎ部材と移動速度の遅いドアパネルとの機械的な干渉を避けてその塞ぎ部材の通過を可能にする空間領域からなる逃げ部が設けられていることを特徴とする請求項１ないし４のいずれかに記載のエレベータの出入口ドア装置。
【請求項６】
前記塞ぎ部材が設けられた前記一方のドアパネルは戸開閉時の移動速度が速く、前記他方のドアパネルは戸開閉時の移動速度が前記一方のドアパネルより遅い関係にあり、その移動速度の遅い前記ドアパネルは、一方側の側部の厚さが大きく、他方側の側部の厚さが小さくなっていることを特徴とする請求項１ないし４のいずれかに記載のエレベータの出入口ドア装置。
【請求項７】
移動速度の遅い前記他方のドアパネルの一方側の側部には、前記一方のドアパネルの塞ぎ部材と接触可能なブロック部材が設けられ、このブロック部材により前記他方のドアパネルの一方側の側部の厚さが大きく、他方側の側部の厚さが小さくなっていることを特徴とする請求項６に記載のエレベータの出入口ドア装置。
【請求項８】
移動速度の遅い前記他方のドアパネルの一方側の側部には、前記一方のドアパネルの塞ぎ部材と面接触が可能な折り返し片が設けられていることを特徴とする請求項６に記載のエレベータの出入口ドア装置。
【請求項９】
前記塞ぎ部材が設けられた前記一方のドアパネルは戸開閉時の移動速度が速く、前記他方のドアパネルは戸開閉時の移動速度が前記一方のドアパネルより遅い関係にあり、かつ前記他方のドアパネルの横幅がＬ１、前記一方のドアパネルの横幅がＬ２で、Ｌ１＞Ｌ２の関係にあることを特徴とする請求項１ないし８のいずれかに記載のエレベータの出入口ドア装置。
【請求項１０】
２枚のドアパネルを１組とした２組のドアパネルを備え、その一方の組のドアパネルと他方の組のドアパネルとが互いに対称的に左右に並ぶとともに、各組のドアパネルは前後に位置をずらし、かつ左右方向に移動可能に支持され、戸閉時には各組におけるドアパネルが左右に段違い状に並んでエレベータの出入口が閉塞され、戸開時には各組のドアパネルがその組の戸袋部側に向う同一方向に異なる速度で移動して前記出入口が開放される両開き式のエレベータの出入口ドア装置であって、
各組の互いに隣り合って前後に配置する一方のドアパネルの側部に塞ぎ部材を設け、この塞ぎ部材を戸閉時にのみ他方のドアパネルの側部に接触させてその側部間の隙間を塞ぐことを特徴とするエレベータの出入口ドア装置。
【請求項１１】
３枚のドアパネルを１組とした２組のドアパネルを備え、その一方の組のドアパネルと他方の組のドアパネルとが互いに対称的に左右に並ぶとともに、各組のドアパネルは前後に位置をずらし、かつ左右方向に移動可能に支持され、戸閉時には各組におけるドアパネルが左右に段違い状に並んでエレベータの出入口が閉塞され、戸開時には各組のドアパネルがその組の戸袋部側に向う同一方向に異なる速度で移動して前記出入口が開放される両開き式のエレベータの出入口ドア装置にあって、
各組の互いに隣り合って前後に配置する一方のドアパネルの側部に塞ぎ部材を設け、この塞ぎ部材を戸閉時にのみ他方のドアパネルの側部に接触させてその側部間の隙間を塞ぐことを特徴とするエレベータの出入口ドア装置。
【請求項１２】
請求項１０または１１に記載の各組のドアパネルにおいて、前記塞ぎ部材が設けられた前記一方のドアパネルは戸開閉時の移動速度が速く、前記他方のドアパネルは戸開閉時の移動速度が前記一方のドアパネルより遅い関係にあり、その移動速度の遅い前記ドアパネルは、一方側の側部の厚さが大きく、他方側の側部の厚さが小さくなっていることを特徴とする請求項１０または１１に記載のエレベータの出入口ドア装置。
【請求項１３】
請求項１０または１１に記載の各組のドアパネルにおいて、移動速度の遅い前記他方のドアパネルの一方側の側部には、前記一方のドアパネルの塞ぎ部材と接触可能なブロック部材が設けられ、このブロック部材により前記他方のドアパネルの一方側の側部の厚さが大きく、他方側の側部の厚さが小さくなっていることを特徴とする請求項１０または１１に記載のエレベータの出入口ドア装置。
【請求項１４】
請求項１０または１１に記載の各組のドアパネルにおいて、移動速度の遅い前記他方のドアパネルの一方側の側部には、前記一方のドアパネルの塞ぎ部材と面接触が可能な折り返し片が設けられていることを特徴とする請求項１０または１１に記載のエレベータの出入口ドア装置。
【請求項１５】
請求項１０または１１に記載の各組のドアパネルにおいて、前記塞ぎ部材が設けられた前記一方のドアパネルは戸開閉時の移動速度が速く、前記他方のドアパネルは戸開閉時の移動速度が前記一方のドアパネルより遅い関係にあり、かつ前記他方のドアパネルの横幅がＬ３、前記一方のドアパネルの横幅がＬ４で、Ｌ３＞Ｌ４の関係にあることを特徴とする請求項１０または１１に記載のエレベータの出入口ドア装置。
【請求項１６】
複数枚のドアパネルを備え、これらドアパネルが所定の方向に移動可能に支持されたエレベータの出入口ドア装置において、
前記少なくとも一つのドアパネルに塞ぎ部材を設け、この塞ぎ部材により戸閉時に前記ドアパネル間の隙間を塞ぎ、一つのドアパネルは戸開閉時の移動速度が速く、他のドアパネルは戸開閉時の移動速度がその一つのドアパネルの移動速度よりも遅い関係にあり、その移動速度の遅い前記ドアパネルは、一方側に側部の厚さが大きく他方側の側部の厚さが小さくなっていることを特徴とするエレベータの出入口装置。
【請求項１７】
複数枚のドアパネルを備え、これらドアパネルが所定の方向に移動可能に支持されたエレベータの出入口ドア装置において、
前記少なくとも一つのドアパネルに塞ぎ部材を設け、この塞ぎ部材により戸閉時に前記ドアパネル間の隙間を塞ぎ、一つのドアパネルは戸開閉時の移動速度が速く、他のドアパネルは戸開閉時の移動速度がその一つのドアパネルの移動速度よりも遅い関係にあり、かつ前記一つのドアパネルの横幅がＬ２、他のドアパネルの横幅がＬ１で、Ｌ１＞Ｌ２の関係になっていることを特徴とするエレベータの出入口装置。
【発明の詳細な説明】
【０００１】
【発明の属する技術分野】
この発明は、エレベータホールのエレベータ出入口を開閉する多段速式のドア装置に関する。
【０００２】
【従来の技術】
エレベータホールの壁面には、図１３に示すように三方枠１によりエレベータ出入口２が構成されている。そしてこの出入口２にその開閉用のドア装置３が設けられ、また出入口２の側方部に操作盤４が設けられ、この操作盤４にかご呼び登録ボタン５や表示部６が設けられている。
【０００３】
出入口２を開閉するドア装置３としては、複数枚のドアパネルが同一方向に異なる速度で移動して出入口２を開閉する多段速式のものが一般に知られている。
【０００４】
図１３に示すドア装置３においては、２枚のドアパネル１０ａ，１０ｂが用いられ、これらドアパネル１０ａ，１０ｂが敷居７に沿って図１３における右方向に異なる速度で移動することにより出入口２が開放されるようになっている。
【０００５】
図１４にはドアパネル１０ａ，１０ｂの配置の状態を示してあり、これらドアパネル１０ａ，１０ｂは互いに前後に位置をずらし、かつ左右方向に移動可能に支持されている。
【０００６】
実線で示す状態は戸閉状態であり、この状態から戸開時には各ドアパネル１０ａ，１０ｂが駆動装置（図示せず）により駆動されてそれぞれ右方向に移動する。
【０００７】
この際、一方のドアパネル１０ａは他方のドアパネル１０ｂのほぼ２倍の速度で移動し、これによりドアパネル１０ａ，１０ｂが鎖線で示すように戸袋部８に互いに前後に重なる状態で収納され、出入口２が開放する戸開状態となる。
【０００８】
また、この戸開状態から戸閉時には各ドアパネル１０ａ，１０ｂが駆動装置（図示せず）による駆動でそれぞれ左方向に移動する。この際にも、一方のドアパネル１０ａは他方のドアパネル１０ｂのほぼ２倍の速度で移動して戸閉状態となる。そして戸閉時には一方のドアパネルの１０ａの一方の側部と他方のドアパネル１０ｂの他方の側部とが互いに前後に重なる状態となる。
【０００９】
このように多段速式のドア装置３においては、各ドアパネル１０ａ，１０ｂの移動速度が異なり、このためその互いに隣り合う一方のドアパネル１０ａと他方のドアパネル１０ｂとの間には、円滑な移動性能を保持するためにある程度の隙間が設けられている。
【００１０】
【発明が解決しようとする課題】
ところで、一対のドアパネルが同一平面内で互いに逆方向に向いて左右に移動する両開き式のドア装置においては、その戸閉時に一方のドアパネルと他方のドアパネルとの側面同士が当接して密着し、このためその間の気密性は良好に保持することができる。
【００１１】
ところが、上述のように多段速式のドア装置３においては、互いに隣り合う一方のドアパネル１０ａと他方のドアパネル１０ｂとの間には、円滑な移動性能を保持するためにある程度の隙間を設ける必要があり、したがって戸閉時には図１４に示すように、その一方のドアパネル１０ａの側部と他方のドアパネル１０ｂの側部との間に隙間Ｓが生じ、その間の気密性を保持することが難しくなっている。
【００１２】
このため、エレベータのかごが昇降する昇降路内の騒音が矢印で示すようにその隙間Ｓを通してエレベータホールに漏れて遮音性が低下し、また万が一火災が発生したときに隙間Ｓを通して昇降路内からエレベータホールに煙が多量に漏れてしまうという問題がある。
【００１３】
この発明はこのような点に着目してなされたもので、その目的とするところは、ドアパネルの移動性能を損なうことなく、戸閉時おけるドアパネルの側部間の気密性を良好に保って遮音性および遮煙性を高めることができるエレベータの出入口ドア装置を提供することにある。
【００１４】
【課題を解決するための手段】
請求項１の発明は、複数枚のドアパネルを備え、これらドアパネルが互いに前後に位置をずらし、かつ左右方向に移動可能に支持され、戸閉時にはこれらドアパネルが左右に段違い状に並んでエレベータの出入口が閉塞され、戸開時には前記ドアパネルが戸袋部側に向う同一方向に異なる速度で移動して前記出入口が開放される多段速式のエレベータの出入口ドア装置において、互いに隣り合って前後に配置する一方のドアパネルの側部に塞ぎ部材を設け、この塞ぎ部材を戸閉時にのみ他方のドアパネルの側部に接触させてその側部間の隙間を塞ぐことを特徴としている。
【００１５】
請求項２の発明は、複数枚のドアパネルを備え、これらドアパネルが互いに前後に位置をずらし、かつ左右方向に移動可能に支持され、戸閉時にはこれらドアパネルが左右に段違い状に並んでエレベータの出入口が閉塞され、戸開時には前記ドアパネルが同一方向に異なる速度で移動して前記出入口が開放される多段速式のエレベータの出入口ドア装置において、互いに隣り合って前後に配置する一方のドアパネルの側部に塞ぎ部材を設け、この塞ぎ部材を戸閉時にのみ他方のドアパネルの側部に対向させてその側部間の隙間を塞ぐことを特徴としている。
【００１６】
請求項３の発明は、前記請求項１における塞ぎ部材が、前記一方のドアパネルの側部に取り付けられた塞ぎ板と、この塞ぎ板に取り付けられ、戸閉時に前記他方のドアパネルの側部に当接して密着するシール材とで構成されていることを特徴としている。
【００１７】
請求項４の発明は、前記請求項３の塞ぎ部材のシール材が戸閉時に前記他方のドアパネルの側部に密着するように前記塞ぎ板の位置を調整することが可能な調整機構を備えることを特徴としている。
【００１８】
請求項５の発明は、前記塞ぎ部材が設けられた前記一方のドアパネルは戸開閉時の移動速度が速く、前記他方のドアパネルは戸開閉時の移動速度が前記一方のドアパネルより遅い関係にあり、その移動速度の遅い前記ドアパネルには、その移動速度の遅いドアパネルに対して移動速度の速いドアパネルが相対的に移動するときにおける前記塞ぎ板と移動速度の遅いドアパネルとの機械的な干渉を避けてその塞ぎ部材の通過を可能にする空間領域からなる逃げ部が設けられていることを特徴としている。
【００１９】
請求項６の発明は、前記塞ぎ部材が設けられた前記一方のドアパネルは戸開閉時の移動速度が速く、前記他方のドアパネルは戸開閉時の移動速度が前記一方のドアパネルより遅い関係にあり、その移動速度の遅い前記ドアパネルは、一方側の側部の厚さが大きく、他方側の側部の厚さが小さくなっていることを特徴としている。
【００２０】
請求項７の発明は、移動速度の遅い前記他方のドアパネルの一方側の側部には、前記一方のドアパネルの塞ぎ部材と接触可能なブロック部材が設けられ、このブロック部材により前記他方のドアパネルの一方側の側部の厚さが大きく、他方側の側部の厚さが小さくなっていることを特徴としている。
【００２１】
請求項８の発明は、移動速度の遅い前記他方のドアパネルの一方側の側部には、前記一方のドアパネルの塞ぎ部材と面接触が可能な折り返し片が設けられていることを特徴としている。
【００２２】
請求項９の発明は、前記塞ぎ部材が設けられた前記一方のドアパネルは戸開閉時の移動速度が速く、前記他方のドアパネルは戸開閉時の移動速度が前記一方のドアパネルより遅い関係にあり、かつ前記他方のドアパネルの横幅がＬ１、前記一方のドアパネルの横幅がＬ２で、Ｌ１＞Ｌ２の関係にあることを特徴としている。
【００２３】
請求項１０の発明は、２枚のドアパネルを１組とした２組のドアパネルを備え、その一方の組のドアパネルと他方の組のドアパネルとが互いに対称的に左右に並ぶとともに、各組のドアパネルは前後に位置をずらし、かつ左右方向に移動可能に支持され、戸閉時には各組におけるドアパネルが左右に段違い状に並んでエレベータの出入口が閉塞され、戸開時には各組のドアパネルがその組の戸袋部側に向う同一方向に異なる速度で移動して前記出入口が開放される多段速両開き式のエレベータの出入口ドア装置であって、各組の互いに隣り合って前後に配置する一方のドアパネルの側部に塞ぎ部材を設け、この塞ぎ部材を戸閉時にのみ他方のドアパネルの側部に接触させてその側部間の隙間を塞ぐことを特徴としている。
【００２４】
請求項１１の発明は、３枚のドアパネルを１組とした２組のドアパネルを備え、その一方の組のドアパネルと他方の組のドアパネルとが互いに対称的に左右に並ぶとともに、各組のドアパネルは前後に位置をずらし、かつ左右方向に移動可能に支持され、戸閉時には各組におけるドアパネルが左右に段違い状に並んでエレベータの出入口が閉塞され、戸開時には各組のドアパネルがその組の戸袋部側に向う同一方向に異なる速度で移動して前記出入口が開放される多段速両開き式のエレベータの出入口ドア装置にあって、各組の互いに隣り合って前後に配置する一方のドアパネルの側部に塞ぎ部材を設け、この塞ぎ部材を戸閉時にのみ他方のドアパネルの側部に接触させてその側部間の隙間を塞ぐことを特徴としている。
【００２５】
請求項１２の発明は、請求項１０または１１に記載の各組のドアパネルにおいて、前記塞ぎ部材が設けられた前記一方のドアパネルは戸開閉時の移動速度が速く、前記他方のドアパネルは戸開閉時の移動速度が前記一方のドアパネルより遅い関係にあり、その移動速度の遅い前記ドアパネルは、一方側の側部の厚さが大きく、他方側の側部の厚さが小さくなっていることを特徴としている。
【００２６】
請求項１３の発明は、請求項１０または１１に記載の各組のドアパネルにおいて、移動速度の遅い前記他方のドアパネルの一方側の側部には、前記一方のドアパネルの塞ぎ部材と接触可能なブロック部材が設けられ、このブロック部材により前記他方のドアパネルの一方側の側部の厚さが大きく、他方側の側部の厚さが小さくなっていることを特徴としている。
【００２７】
請求項１４の発明は、請求項１０または１１に記載の各組のドアパネルにおいて、移動速度の遅い前記他方のドアパネルの一方側の側部には、前記一方のドアパネルの塞ぎ部材と面接触が可能な折り返し片が設けられていることを特徴としている。
【００２８】
請求項１５の発明は、請求項１０または１１に記載の各組のドアパネルにおいて、前記塞ぎ部材が設けられた前記一方のドアパネルは戸開閉時の移動速度が速く、前記他方のドアパネルは戸開閉時の移動速度が前記一方のドアパネルより遅い関係にあり、かつ前記他方のドアパネルの横幅がＬ３、前記一方のドアパネルの横幅がＬ４で、Ｌ３＞Ｌ４の関係にあることを特徴としている。
【００２９】
請求項１６の発明は、複数枚のドアパネルを備え、これらドアパネルが所定の方向に移動可能に支持されたエレベータの出入口ドア装置において、前記少なくとも一つのドアパネルに塞ぎ部材を設け、この塞ぎ部材により戸閉時に前記ドアパネル間の隙間を塞ぎ、一つのドアパネルは戸開閉時の移動速度が速く、他のドアパネルは戸開閉時の移動速度がその一つのドアパネルの移動速度よりも遅い関係にあり、その移動速度の遅い前記ドアパネルは、一方側に側部の厚さが大きく他方側の側部の厚さが小さくなっていることを特徴としている。
【００３０】
請求項１７の発明は、複数枚のドアパネルを備え、これらドアパネルが所定の方向に移動可能に支持されたエレベータの出入口ドア装置において、前記少なくとも一つのドアパネルに塞ぎ部材を設け、この塞ぎ部材により戸閉時に前記ドアパネル間の隙間を塞ぎ、一つのドアパネルは戸開閉時の移動速度が速く、他のドアパネルは戸開閉時の移動速度がその一つのドアパネルの移動速度よりも遅い関係にあり、かつ前記一つのドアパネルの横幅がＬ２、他のドアパネルの横幅がＬ１で、Ｌ１＞Ｌ２の関係になっていることを特徴としている。
【００３１】
【発明の実施の形態】
以下、この発明の実施の形態について図１ないし図１２を参照して説明する。なお、従来の構成と対応する部分には同一符号を付してその詳細な説明を省略する。
【００３２】
図１および図２にはこの発明の第１の実施形態を示してある。各ドアパネル１０ａ，１０ｂは、周縁にその背面側にほぼ直角に折曲する側板１１を有し、さらにその側板１１の縁部に内側にほぼ直角に折曲する折曲片１１ａが一体に形成され、また各ドアパネル１０ａ，１０ｂの背面には補強部材１２が取り付けられている。
【００３３】
移動速度の速い一方のドアパネル１０ａにおける一方の側板１１、つまり戸袋部８側に向く側板１１の外面には、断面Ｌ状をなす取付板２０がねじ２１を介して取り付けられ、さらにこの取付板２０に断面Ｌ状をなす塞ぎ板２２がねじ２３を介して取り付けられている。
【００３４】
取付板２０および塞ぎ板２２は共にドアパネル１０ａ，１０ｂの高さとほぼ同じ長さを有し、塞ぎ板２２は移動速度の遅いドアパネル１０ｂの背面側の内側に介入し、そのドアパネル１０ｂの一方の側板１１、つまり戸袋部８の反対側の側板１１における折曲片１１ａと対向するように配置されている。そしてこの塞ぎ板２２の板面に、前記折曲片１１ａの縁部に対向するゴム等の弾性体からなるシール材２４が取り付けられている。このシール材２４は塞ぎ板２２の高さ寸法のほぼ全長区間に渡って連続する長さを有し、このシール材２４と前記塞ぎ板２２とで塞ぎ部材２５が構成されている。
【００３５】
取付板２０には、図２に示すように左右方向に長い長孔２６が形成され、前記ねじ２３は前記長孔２６を通して塞ぎ板２２に螺挿され、このねじ２３の締め付けにより塞ぎ板２２が取付板２０に固定されている。そして前記ねじ２３を緩めることにより塞ぎ板２２を前記長孔２６に沿って左右方向に移動して、戸閉時に前記シール材２４が前記折曲片１１ａの縁部に適正に密着するようにその塞ぎ板２２の位置を調整することができるようになっている。
【００３６】
移動速度の遅いドアパネル１０ｂの背面側には、その移動速度の遅いドアパネル１０ｂに対して移動速度の速いドアパネル１０ａが相対的に移動するときにおける前記塞ぎ板２２とドアパネル１０ｂとの機械的な干渉を避けるための逃げ部２８が設けられている。この逃げ部２８は、ドアパネル１０ｂにおける折曲片１１ａと、その折曲片１１ａの反対側のドアパネル１０ｂの側面との間の区間Ｈの部分のドアパネル１０ｂの厚さを小さくして前記塞ぎ部材２５の通過が可能となる空間をドアパネル１０ｂの背面側に形成することにより構成されている。
【００３７】
すなわち、移動速度の遅いドアパネル１０ｂにおいては、移動速度の速いドアパネル１０ａのシール部材２４と接する側の反対側（図１における右側）の側部の厚さＴ１がシール部材２４と接する側（図における左側）の側部の厚さＴ２よりも小さくなっており、この厚さの差により逃げ部２８が構成され、ドアパネル１０ｂの背面側での前記塞ぎ部材２５の通過が可能となっている。
【００３８】
図１に実線で示す状態は戸閉状態であり、この状態から戸開時には一方のドアパネル１０ａが速い速度で図１における右方向の戸袋部８側に移動し、また同時に他方のドアパネル１０ｂが遅い速度で図１における右方向の戸袋部８側に移動する。
【００３９】
この際、一方のドアパネル１０ａの塞ぎ板２２が他方のドアパネル１０ｂの背面側を相対的に移動するが、その他方のドアパネル１０ｂにおける戸袋部８側は逃げ部２８としてその厚さおよび補強部材１２の厚さが共に薄くなっているから、塞ぎ部材２５がドアパネル１０ｂと干渉することなく移動し、したがってドアパネル１０ａ，１０ｂの移動性能を損なうことなく、円滑に移動させることができる。
【００４０】
そしてドアパネル１０ａ，１０ｂの右方向への移動によりドアパネル１０ａ，１０ｂが鎖線で示すように戸袋部８において互いに前後に重なる状態に収納され、出入口２が開放される戸開状態となる。
【００４１】
また、この戸開状態から戸閉時には各ドアパネル１０ａ，１０ｂがそれぞれ図１における左方向に異なる速度で移動する。そして戸閉状態となる直前に、実線で示すようにドアパネル１０ａに設けられた塞ぎ部材２５のシール材２４がドアパネル１０ｂの折曲片１１ａの縁部に弾性的に当接して密着する。
【００４２】
これにより、戸閉状態のもとでのドアパネル１０ａ，１０ｂの側部間の隙間Ｓが塞ぎ板２２およびシール材２４により密閉され、その相互間の気密性が良好に保たれる。このため、昇降路からエレベータホールへの騒音の漏れや火災発生時における煙の漏れを抑え、遮音性および遮煙性を高めることができる。
【００４３】
一方のドアパネル１０ａに設けられた塞ぎ部材２５のシール材２４は、戸閉時にのみ他方のドアパネル１０ｂと接触するのみで、ドアパネル１０ａ，１０ｂが戸袋部８側に移動する戸開時には塞ぎ部材２５とドアパネル１０ｂは非接触状態となり、したがってその戸開時のドアパネル１０ａ，１０ｂの移動性能を損なうようなことなく、円滑に移動させることができる。
【００４４】
図３には第２に実施形態を示してあり、この実施形態においては、ドアパネル１０ａにおける一方の側板１１の外面に、平板状の塞ぎ板２２がねじ２３を介して取り付けられている。
【００４５】
この塞ぎ板２２はドアパネル１０ａ，１０ｂの高さとほぼ同じ長さを有し、一部が移動速度の遅いドアパネル１０ｂの背面側の内側に介入してそのドアパネル１０ｂにおける側板１１の折曲片１１ａに対向し、その対向面に前記折曲片１１ａの縁部に当接して密着するゴム等の弾性体からなるシール材２４が取り付けられている。このシール材２４は塞ぎ板２２の高さ寸法のほぼ全長区間に渡って連続する長さを有し、このシール材２４と前記塞ぎ板２２とで塞ぎ部材２５が構成されている。
【００４６】
この場合の塞ぎ部材２５は、塞ぎ板２２とドアパネル１０ａの側板１１との間にシム３０を必要枚数介在させる調整手段により、戸閉時にシール材２４をドアパネル１０ｂの折曲片１１ａの縁部に密着させることができるようになっている。他の部分に関しては前記第１の実施形態の場合と同様の構成である。
【００４７】
図３に実線で示す状態は戸閉状態であり、この状態から戸開時に一方のドアパネル１０ａが速い速度で図３における右方向の戸袋部８側に移動し、また同時に他方のドアパネル１０ｂが遅い速度で図３における右方向の戸袋部８側に移動する。
【００４８】
この際、ドアパネル１０ａの塞ぎ部材２５はドアパネル１０ｂの逃げ部２８を通ってそのドアパネル１０ｂと干渉することなく円滑に移動する。そしてドアパネル１０ａ，１０ｂの右方向への移動によりドアパネル１０ａ，１０ｂが鎖線で示すように戸袋部８において互いに前後に重なる状態に収納され、出入口２が開放される戸開状態となる。
【００４９】
また、この戸開状態から戸閉時には各ドアパネル１０ａ，１０ｂがそれぞれ図３における左方向に異なる速度で移動する。そして戸閉状態となる直前に、実線で示すようにドアパネル１０ａのシール材２４がドアパネル１０ｂの折曲片１１ａの縁部に弾性的に当接して密着する。
【００５０】
これにより、戸閉状態のもとでのドアパネル１０ａ，１０ｂの側部間の隙間Ｓが塞ぎ板２２およびシール材２４により密閉され、その相互間の気密性が良好に保たれ、したがって遮音性および遮煙性を高めることができる。
【００５１】
図４には第３の実施形態を示してあり、この実施形態においては、前記第１の実施形態の場合と同様に、ドアパネル１０ａにおける一方の側板１１の外面に、断面Ｌ状をなす取付板２０がねじ２１を介して取り付けられ、さらにこの取付板２０に断面Ｌ状をなす塞ぎ板２２がねじ２３を介して取り付けられ、この塞ぎ板２２にドアパネル１０ｂの折曲片１１ａの縁部に当接して密着するゴム等の弾性体からなるシール材２４が取り付けられ、これらシール材２４と塞ぎ板２２とで塞ぎ部材２５が構成されている。
【００５２】
ただ、この第３の実施形態の場合には、移動速度の遅いドアパネル１０ｂの横幅Ｌ１が移動速度の速いドアパネル１０ａの横幅Ｌ２より大きくなっていて、その移動速度の速いドアパネル１０ａが移動速度の遅いドアパネル１０ｂに対して相対的に移動する際に、塞ぎ部材２５が移動速度の遅いドアパネル１０ｂの両折曲片１１ａ間の区間で移動するようになっている。
【００５３】
したがって、この場合には、ドアパネル１０ｂの補強部材１２の厚さを塞ぎ部材２５と干渉しないように薄くするだけで塞ぎ部材２５の移動を可能にする逃げ部２８を構成でき、ドアパネル１０ｂの戸袋部８側の厚さを特に薄くするような必要がなく、その分加工が容易となる。
【００５４】
そしてこの場合においても、ドアパネル１０ａの塞ぎ部材２５をドアパネル１０ｂの補強部材１２や戸袋部８側の側板１１と干渉することなく円滑に移動させることができ、また戸閉状態のもとではドアパネル１０ａ，１０ｂの側部間の隙間Ｓを塞ぎ板２２およびシール材２４により密閉してその相互間の気密性を良好に保ち、遮音性および遮煙性を高めることができる。
【００５５】
図５には第４に実施形態を示してあり、この実施形態においては、塞ぎ部材２５として断面ほぼＬ状をなす板材が用いられている。この塞ぎ部材２５はドアパネル１０ａ，１０ｂの高さとほぼ同じ長さを有し、一方のドアパネル１０ａの戸袋部８側の側板１１に取付板２０を介して取り付けられている。
【００５６】
そしてこの塞ぎ部材２５は、ドアパネル１９ｂの側板１１と平行な第１の板部２５ａとドアパネル１９ｂの折曲片１１ａと平行な第２の板部２５ｂとを有するほぼＬ状をなし、戸閉時には図５に実線で示すように、前記第２の板部２５ｂが前記折曲片１１ａの内側に進入してその折曲片１１ａと対向し、これによりドアパネル１０ａ，１０ｂの側部間の隙間Ｓを経て昇降路からエレベータホールに通じる通路が多段に屈曲する複雑で幅の狭い蛇行形状となる。
【００５７】
このような構成においても、戸閉時には、ドアパネル１０ａ，１０ｂの側部間の隙間Ｓを経て昇降路からエレベータホールに通じる通路が多段に屈曲する複雑で幅の狭い蛇行形状となることから前記隙間Ｓが実質的に塞がれ、昇降路からエレベータホールへの騒音の漏れや、火災発生時の昇降路からエレベータホールへの煙の漏れを抑えることができる。
【００５８】
前記各実施形態においては、２枚のドアパネルを用いるドア装置を例に挙げたが、２枚以上のドアパネルを用いるドア装置、例えば図６に第５の実施形態として示すように、第１、第２、第３の３枚のドアパネル１０ａ，１０ｂ，１ｃを用いるドア装置においてもこの発明を適用することが可能である。
【００５９】
この実施形態の場合には、実線で示す戸閉状態から第１のドアパネル１０ａが最も速い速度で、第２のドアパネル１０ｂがその次に速い速度で、第３のドアパネル１０ｃが遅い速度でそれぞれ右方向の戸袋部８側に移動してその戸袋部８に鎖線で示すように互いに重なって収納され、戸開状態となる。
【００６０】
また、戸開状態から第１のドアパネル１０ａが最も速い速度で、第２のドアパネル１０ｂがその次に速い速度で、第３のドアパネル１０ｃが遅い速度でそれぞれ左側に移動して戸閉状態となる。
【００６１】
そして第１のドアパネル１０ａの戸袋部８側の側板１１の外面に、塞ぎ板２２とシール材２４とからなる塞ぎ部材２５が取付板２０を介して取り付けられている。
【００６２】
また、第２のドアパネル１０ｂの背面側には前記塞ぎ部材２５の移動を可能にする逃げ部２８が設けられているとともに、戸袋部８側の側板１１の外面に、塞ぎ板２２とシール材２４とからなる塞ぎ部材２５が取付板２０を介して取り付けられている。
【００６３】
さらに、第３のドアパネル１０ｃの背面側には前記塞ぎ部材２５の移動を可能にする逃げ部２８が設けられているとともに、戸袋部８側の側板１１の外面に、塞ぎ板２２とシール材２４とからなる塞ぎ部材２５が取付板２０を介して取り付けられている。
【００６４】
そして戸閉時には、第１のドアパネル１０ａの塞ぎ部材２５のシール材２４が第２のドアパネル１０ｂの側板１１の折曲片１１ａに当接して密着し、また第２のドアパネル１０ｂの塞ぎ部材２５のシール材２４が第３のドアパネル１０ｃの側板１１の折曲片１１ａに当接して密着し、これにより互いに隣り合う第１のドアパネル１０ａと第２のドアパネル１０ｂとの側部間の隙間Ｓ、および第２のドアパネル１０ｂと第３のドアパネル１０ｃとの側部間の隙間Ｓがそれぞれ塞ぎ部材２５により密閉され、したがってその各相互間の気密性を良好に保ち、遮音性および遮煙性を高めることができる。
【００６５】
前記第１、第２、第３および第５の実施形態においては、塞ぎ部材２５のシール材２４をドアパネル１０ｂ，１０ｃの側板１１の折曲片１１ａに直接密着させるようにしたが、図７に示すように、折曲片１１ａに受け部材３３を取り付け、この受け部材３３に塞ぎ部材２５のシール材２４を当接させて隙間Ｓを密閉するようにしてもよい。
【００６６】
また、前記各実施形態においては、互いに隣り合うドアパネルのうちの移動速度の速い方のドアパネルに塞ぎ部材２５を設けるようにしたが、例えば図８に第６の実施形態として示すように、戸袋部８が出入口２の左側に配置され、戸閉状態からドアパネル１０ｂが速い速度でその戸袋部８側に移動し、ドアパネル１０ａが遅い速度でその戸袋部８側に移動する構造の場合にあっては、その速度の遅いドアパネル１０ａの戸袋部８の反対側の側部に塞ぎ部材２５を取り付ける。これにより前記各実施形態の場合と同様の効果を得ることができる。
【００６７】
図９には第７の実施形態を示してあり、この実施形態においては、移動速度の遅いドアパネル１０ｂの一方側の側部の背面にブロック部材４０が取り付けられ、このブロック部材４０により前記ドアパネル１０ｂの一方側の側部の厚さが実質的に厚く、他方側の側部の厚さがそれより小さくなっている。
【００６８】
そして、戸閉時に、塞ぎ部材２５を有する一方のドアパネル１０ａが速い速度で、ブロック部材４０を有する他方のドアパネル１０ｂが遅い速度でそれぞれ図９における左方向に移動して実線で示すようにドアパネル１０ａに設けられた塞ぎ部材２５のシール材２４がドアパネル１０ｂのブロック部材４０に弾性的に当接して密着し、これにより戸閉状態のもとでのドアパネル１０ａ，１０ｂの側部間の隙間Ｓが塞ぎ板２２およびシール材２４により密閉される。
【００６９】
この実施形態においては、ドアパネル１０ｂにブロック材４０を取り付けるだけで、そのドアパネル１０ｂの一方側の側部の厚さを他方側の側部の厚さよりも実質的に厚くすることができ、このため種々のドアパネルに対して適用することができる。
【００７０】
図１０には第８の実施形態を示してあり、この実施形態においては、移動速度の遅いドアパネル１０ｂの一方側の側部の折曲片１１ａの縁部にその内側にほぼ直角に折曲する折り返し片４１が一体的に設けられている。
【００７１】
そして、戸閉時に、塞ぎ部材２５を有する一方のドアパネル１０ａが速い速度で、折り返し片４１を有する他方のドアパネル１０ｂが遅い速度でそれぞれ図１０における左方向に移動して実線で示すようにドアパネル１０ａに設けられた塞ぎ部材２５のシール材２４がドアパネル１０ｂの折り返し片４１の表面に弾性的に面接触して密着し、これにより戸閉状態のもとでのドアパネル１０ａ，１０ｂの側部間の隙間Ｓが塞ぎ板２２およびシール材２４により密閉される。
【００７２】
この実施形態においては、塞ぎ部材２５のシール材２４がドアパネル１０ｂの折り返し片４１に面接触し、このため隙間Ｓの密閉性をより高めることができ、また折り返し片４１と繰り返して接触するシール材２４の損傷を長期に渡って防止してその耐久性を高めることができる。
【００７３】
図１１には第９の実施形態を示してあり、この実施形態においては、２枚のドアパネル１０ａ，１０ｂを用いる多段速式ドア装置が左右対称的に配置して多段速両開き式のドア装置となっている。すなわち、このドア装置は、２枚のドアパネル１０ａ，１０ｂを１組とした２組のドアパネルを備え、その一方の組のドアパネル１０ａ，１０ｂと他方の組のドアパネル１０ａ，１０ｂとが互いに対称的に左右に並ぶように配置されている。
【００７４】
各組のドアパネル１０ａ，１０ｂは前後に位置をずらし、一方の組のドアパネル１０ａと他方の組のドアパネル１０ａとが戸閉時に互いに突き当たるようになっている。
【００７５】
一方の組の一方のドアパネル１０ａは、戸開時に図１１における右方向の戸袋部８に向って速い速度で移動し、他方のドアパネル１０ｂは、右方向の戸袋部８に向って遅い速度で移動し、また他方の組の一方のドアパネル１０ａは、戸開時に図１１における左方向の戸袋部８に向って速い速度で移動し、他方のドアパネル１０ｂは、左方向の戸袋部８に向って遅い速度で移動し、これにより出入口２が開放される。
【００７６】
戸閉時には、一方の組の一方のドアパネル１０ａが左方向に速い速度で移動し、他方のドアパネル１０ｂが左方向に遅い速度で移動し、また他方の組の一方のドアパネル１０ａが右方向に速い速度で移動し、他方のドアパネル１０ｂが右方向に遅い速度で移動し、これにより出入口２が閉塞される。
【００７７】
各組の互いに隣り合って前後に配置する一方の速度の速いドアパネル１０ａの側部には、塞ぎ部材２５として塞ぎ板２２とシール材２４が設けられ、これら塞ぎ部材２５のシール材２４が各組のドアパネル１０ａ，１０ｂの戸閉時にそのドアパネル１０ａと隣り合う他方のドアパネル１０ｂの折曲片１１ａの縁部に弾性的に当接して密着する。
【００７８】
各組における移動速度の遅いドアパネル１０ｂは、図１に示す第１の実施形態の場合と同様に、一方の側部の厚さＴ１が他方の側部の厚さＴ２よりも小さくなっており、この厚さの差によりドアパネル１０ｂの背面側での前記塞ぎ部材２５の通過が可能となっている。
【００７９】
そして戸閉状態のもとでの各組のドアパネル１０ａ，１０ｂの側部間の隙間Ｓが塞ぎ板２２およびシール材２４により密閉されることにより、その相互間の気密性が保たれる。
【００８０】
なお、図１１に示す構造の場合において、図４に示す第３の実施形態の場合と同様に、各組における移動速度の遅いドアパネル１０ｂの横幅Ｌ３を移動速度の速いドアパネル１０ａの横幅Ｌ４より大きくして（Ｌ３＞Ｌ４）、その移動速度の速いドアパネル１０ａが移動速度の遅いドアパネル１０ｂに対して相対的に移動する際に、塞ぎ部材２５が移動速度の遅いドアパネル１０ｂの両折曲片１１ａ間の区間で移動することができるように構成することも可能である。
【００８１】
また、図１１に示す構造の場合において、図９に示す第７の実施形態の場合と同様に、移動速度の遅いドアパネル１０ｂの一方側の側部の背面にブロック部材を取り付け、このブロック部材により前記ドアパネル１０ｂの一方側の側部の厚さを実質的に厚く、他方側の側部の厚さがそれより小さくなるように構成し、戸閉時に速い速度のドアパネル１０ａの塞ぎ部材２５が前記ブロック部材に接触してドアパネル１０ａ，１０ｂの側部間の隙間を密閉するように構成することも可能である。
【００８２】
さらに、図１１に示す構造の場合において、図１０に示す第８の実施形態の場合と同様に、移動速度の遅いドアパネル１０ｂの一方側の側部の折曲片１１ａの縁部にその内側にほぼ直角に折曲する折り返し片を一体的に設け、戸閉時に速い速度のドアパネル１０ａの塞ぎ部材２５を前記折り返し片の表面に弾性的に面接触させ、これによりドアパネル１０ａ，１０ｂの側部間の隙間を密閉するように構成することも可能である。
【００８３】
図１２には第１０の実施形態を示してあり、この実施形態においては、３枚のドアパネル１０ａ，１０ｂ，１０ｃを用いる多段速式ドア装置が左右対称的に配置して多段速両開き式のドア装置となっている。すなわち、このドア装置は、第１、第２、第３の３枚のドアパネル１０ａ，１０ｂ，１０ｃを１組とした２組のドアパネルを備え、その一方の組のドアパネル１０ａ，１０ｂ，１０ｃと他方の組のドアパネル１０ａ，１０ｂ，１０ｃとが互いに対称的に左右に並ぶように配置されている。
【００８４】
各組のドアパネル１０ａ，１０ｂ，１０ｃは前後に位置をずらし、一方の組の第１のドアパネル１０ａと他方の組の第１のドアパネル１０ａとが戸閉時に互いに突き当たるようになっている。
【００８５】
一方の組の第１のドアパネル１０ａは、戸開時に図１２における右方向の戸袋部８に向って最も速い速度で移動し、第２のドアパネル１０ｂは、右方向の戸袋部８に向って次に速い速度で移動し、第３のドアパネル１０ｃは、右方向の戸袋部８に向って遅い速度で移動する。また、他方の組の第１のドアパネル１０ａは、戸開時に図１２における左方向の戸袋部８に向って最も速い速度で移動し、第２のドアパネル１０ｂは、左方向の戸袋部８に向って次に速い速度で移動し、第３のドアパネル１０ｃは、左方向の戸袋部８に向って遅い速度で移動し、これにより出入口２が開放される。
【００８６】
戸閉時には、一方の組の第１のドアパネル１０ａが左方向に最も速い速度で移動し、第２のドアパネル１０ｂが次に速い速度で移動し、第３のドアパネル１０ｃが遅い速度で移動し、他方の組の第１のドアパネル１０ａが右方向に最も速い速度で移動し、第２のドアパネル１０ｂが右方向に次に速い速度で移動し、第３のドアパネル１０ｃが右方向に遅い速度で移動し、これにより出入口２が閉塞される。
【００８７】
各組の互いに隣り合って前後に配置する第１および第２のドアパネル１０ａ，１０ｂの側部には、塞ぎ部材２５として塞ぎ板２２とシール材２４がそれぞれ設けられ、これら塞ぎ部材２５のシール材２４が各組のドアパネル１０ａ，１０ｂ，１０ｃの戸閉時にそのドアパネル１０ａ，１０ｂと隣り合う他方のドアパネル１０ｂ，１０ｃの折曲片１１ａの縁部に弾性的に当接して密着する。
【００８８】
これにより、戸閉状態のもとでの各組のドアパネル１０ａ，１０ｂ，１０ｃの側部間の隙間Ｓが塞ぎ板２２およびシール材２４により密閉され、その相互間の気密性が保たれる。
【００８９】
なお、いずれの実施形態においても、ドアパネルの側部間の隙間を密閉する塞ぎ部材２５は、移動速度の遅いドアパネルに設ける場合に限らず、移動速度の速いドアパネルに設ける場合であってもよい。
【００９０】
また、この発明は、６枚のドアパネルがそれぞれ異なる速度で同一の方向に移動して出入口を開閉する多段速片開き式のドア装置においても適用することができる。
【００９１】
【発明の効果】
以上説明したようにこの発明によれば、ドアパネルの移動性能を損なうことなく、戸閉時おけるドアパネルの側部相互間の気密性を良好に保って遮音性および遮煙性を高めることができる。
【図面の簡単な説明】
【図１】この発明の第１の実施形態に係るドア装置の断面図。
【図２】そのドア装置における塞ぎ部材の取り付け部の構造を示す断面図。
【図３】この発明の第２の実施形態に係るドア装置の断面図。
【図４】この発明の第３の実施形態に係るドア装置の断面図。
【図５】この発明の第４の実施形態に係るドア装置の断面図。
【図６】この発明の第５の実施形態に係るドア装置の断面図。
【図７】塞ぎ部材のシール材をドアパネルの側部に密着させる変形例を示す断面図。
【図８】この発明の第６の実施形態に係るドア装置の断面図。
【図９】この発明の第７の実施形態に係るドア装置の断面図。
【図１０】この発明の第８の実施形態に係るドア装置の断面図。
【図１１】この発明の第９の実施形態に係るドア装置の断面図。
【図１２】この発明の第１０の実施形態に係るドア装置の断面図。
【図１３】エレベータのドア装置をエレベータホール側から見た斜視図。
【図１４】従来のドア装置の断面図。
【符号の説明】
１…三方枠
２…出入口
３…ドア装置
８…戸袋部
１０ａ，１０ｂ，１０ｃ…ドアパネル
１１…側板
１１ａ…折曲片
１２…補強部材
２２…塞ぎ板
２４…シール材
２５…塞ぎ部材
２８…逃げ部
４０…ブロック部材
４１…折り返し片
【図１】
2004182469.tif 000003
【図２】
2004182469.tif 000004
【図３】
2004182469.tif 000005
【図４】
2004182469.tif 000006
【図５】
2004182469.tif 000007
【図６】
2004182469.tif 000008
【図７】
2004182469.tif 000009
【図８】
2004182469.tif 000010
【図９】
2004182469.tif 000011
【図１０】
2004182469.tif 000012
【図１１】
2004182469.tif 000013
【図１２】
2004182469.tif 000014
【図１３】
2004182469.tif 000015
【図１４】
2004182469.tif 000016